(57)【要約】【課題】折り畳み式たも網において、折り畳み状態からの拡開が迅速に行えるようにすることである。【解決手段】網枠１１は、円弧形の４本の枠片１５を３箇所のヒンジ連結部１６、１７、１７及び前記連結機構部１４において連結して形成されひょうたん形に折り畳みが可能であり、連結機構部１４は連結基部２３と、前記網枠１１の両端部に連結された枠片連結部２４、２４と、ロック部材２５からなり、前記連結基部２３は中心線Ａに対し傾斜角度αを持った傾斜カム面２８、２８を有し、前記枠片連結部２４が前記傾斜カム面２８に対し直角の回転中心軸２９によって回転自在に取り付けられ、網枠１１が全開されたときに前記ロック部材２５によりロックされ、ロック解除後は網枠１１を自動的にひょうたん形に折り畳む枠片折り畳みと、自動的に柄１３に接近する回転折り畳みが可能であり、前記折り畳み状態から拡開させる場合は柄１３を把持して網枠１１を前方に放り出すように操作することにより前記と逆の順に自動的に全開状態になるようにした。【選択図】図２
2007028952.tif 000002
【特許請求の範囲】
【請求項１】
網（１２）が装着された網枠（１１）と、その網枠（１１）と柄（１３）との連結機構部（１４）とからなる折り畳み式たも網において、
前記網枠（１１）は円弧形の４本の枠片（１５）を柄（１３）の延長上にある中間ヒンジ連結部（１６）、左右２箇所のヒンジ連結部（１７）、（１７）及び前記連結機構部（１４）においてそれぞれ連結されて環状に形成され、前記各ヒンジ連結部（１６）、（１７）はたも網開口面に垂直なヒンジピン（１８）を有するとともに、前記中間ヒンジ連結部（１６）はその両側の枠片（１５）をたも網開口の外方に突き出す凸形合掌状の折り畳みが可能であり、左右２箇所のヒンジ連結部（１７）、（１７）はそれぞれの両側の枠片（１５）をたも網開口の内方に引き込む凹形合掌状の折り畳みが可能であり、
前記連結機構部（１４）は、柄（１３）との連結軸（２２）と一体の連結基部（２３）と、前記網枠（１１）の両端部に連結された左右一対の枠片連結部（２４）、（２４）と、ロック手段からなり、前記連結基部（２３）はその左右両側面が柄（１３）の中心線Ａに対し所要の傾斜角度αを持った傾斜カム面（２８）、（２８）を有し、前記各枠片連結部（２４）は前記傾斜角度αと同じ角度だけ傾斜し、かつ前記傾斜カム面（２８）に接して回転する回転板（３１）を有し、該回転板（３１）が前記傾斜カム面（２８）に対し直角の回転中心軸（２９）によって回転自在に取り付けられ、前記網枠（１１）が全開されたときに前記ロック手段により前記枠片連結部（２４）、（２４）が連結基部（２３）にロックされ、ロック解除後前記枠片連結部（２４）、（２４）を回転させることによって前記網枠（１１）を自動的にひょうたん形に折り畳む枠片折り畳みと、自動的に柄（１３）に接近し前記中間ヒンジ連結部（１６）が柄（１３）の下方に接近するように折り畳む回転折り畳みが可能であり、前記折り畳み状態から拡開させる場合は柄（１３）を把持して網枠（１１）を前方に放り出すように操作することにより前記と逆の順に自動的に網枠（１１）が拡開され、全開状態において前記ロック手段が作用するようにしたことを特徴とする折り畳み式たも網。
【請求項２】
前記ロック手段は、前記連結基部（２３）に対し柄（１３）の長さ方向にスライド可能でかつ網枠（１１）の方向に付勢されたロック部材（２５）により構成され、前記網枠（１１）が全開状態にある場合に前記ロック部材（２５）を前記回転板（３１）の端部に嵌合ロックさせることを特徴とする請求項１に記載の折り畳み式たも網。
【請求項３】
前記ロック手段は、前記枠片の折り畳みと回転折り畳みがなされた際に、前記枠片連結部（２４）をロックするサブロック機能を有し、該サブロック機能は前記枠片連結部（２４）の２方向の回転方向に対し、１方向の回転時においてのみ完全折り畳み状態になる直前において作用し、折り畳み状態にある網枠（１１）を柄（１３）に対し一定の角度θをもってロックさせることを特徴とする請求項１又は２に記載の折り畳み式たも網。
【発明の詳細な説明】
【技術分野】
【０００１】
この発明は、折り畳んだ網枠を迅速に拡開できるとともに折り畳み作業も簡易迅速に行える折り畳み式たも網にするものである。
【背景技術】
【０００２】
携行の便宜を考慮してコンパクトに折り畳めるようにした折り畳み式たも網が従来から知られている（特許文献１）。
【０００３】
特許文献１に開示されたものは、添付の図１１から図１４に示したように、４本の円弧状の弾性ある枠片５１を相互に突合せ、柄５２の延長上にある中間ヒンジ連結部５３と左右ヒンジ連結部５４，５４において網開口面と垂直なヒンジピン５５で連結することによって四角形と円形の中間形状の異形の開口を有する網枠５６を形成し、その網枠５６の両端部を柄５２の先端部に設けた連結基部５７において前記網開口面内で柄５２と直交する回転軸５８と、これと直交するピン５９（図１２参照）で結合した構造である。
【０００４】
前記のたも網は、図１３に示したように、枠片５１の弾性を利用して中間ヒンジ連結部５３を凹状合掌状に内側に屈曲させ、左右ヒンジ連結部５４、５４を凸状合掌状に外方に折り曲げる。さらに左右ヒンジ連結部５４、５４を相互に引き寄せて、４本の枠片５１によって双葉形の２つの折り畳み枠片５１が重なった状態の枠片折り畳みを行い、さらにこれら全体を前記回転軸５８で回転させ柄５２に接近するように回転させる回転折り畳みを行う（図１４参照）。このように、２度の折り畳みにより全体としてコンパクトな折り畳みができるようにしたものである。
【特許文献１】特開平８−１１６８２７号公報
【発明の開示】
【発明が解決しようとする課題】
【０００５】
前記の従来例は、たも網のコンパクト化を極端に進めたため、網枠の全開状態が完全な円形（リング形）にならず四角形に近い異形な開口となり、かえって使用し難いものとなっている。即ち、完全な円形にすると折り畳み状態（図１４参照）での幅が大きくなるので、各枠片５１の曲率を円形の曲率より小さく設定している。このため拡開状態で円形にならず、四角形に近い異形なものとなるのである。
【０００６】
また、枠片５１の中間ヒンジ連結部５３を合掌状に内側に折り曲げ、又はこの反対に拡開する際に（図１３参照）、各枠片５１を弾性変形させることが必要であるため、各枠片５１が弾性線条で形成される。このため、網部分に作用する負荷が大きくなると網枠全体が弾性変形することがある。
【０００７】
さらに、折り畳み状態（図１４参照）から拡開させる場合は、一旦枠片５１をロック板６０（図１２参照）のスリット６１から外し、その上で全体を回転軸５８を中心に１８０度回転させ、その後枠片５１の弾性に抗して中間ヒンジ連結部５３を外方に引き出して全開状態にする必要があるが、この一連の作業を手作業で行わなければならないので迅速性に欠け、釣り上げた魚の捕集に手間取るなどの問題がある。
【０００８】
そこで、この発明は、コンパクト化の限度を収納や携行に格別問題とならない程度の範囲にとどめる一方、特に折り畳み状態からの拡開操作を迅速に行うことができ、使用性にも優れた折り畳み式たも網を提供することを課題とする。
【課題を解決するための手段】
【０００９】
前記の課題を解決するために、この発明は、図１に示したように、網１２が装着された網枠１１と、その網枠１１と柄１３との連結機構部１４とからなる折り畳み式たも網に関する。
【００１０】
図２（ａ）から（ｃ）に示したように、前記網枠１１は円弧形の４本の枠片１５を柄１３の延長上にある中間ヒンジ連結部１６、左右２箇所のヒンジ連結部１７、１７及び前記連結機構部１４においてそれぞれ連結されて円形の環状に形成され、前記各ヒンジ連結部１６、１７はたも網開口面に垂直なヒンジピン１８を有するとともに、前記中間ヒンジ連結部１６はその両側の枠片１５を網枠１１の外方に突き出す凸形合掌状の折り畳みが可能であり、左右２箇所のヒンジ連結部１７、１７はそれぞれの両側の枠片１５を網枠１１の内方に引き込む凹形合掌状の折り畳みが可能である。
【００１１】
図４及び図５に示したように、前記連結機構部１４は、柄１３との連結軸２２と一体の連結基部２３と、前記網枠１１の両端部に連結された左右一対の枠片連結部２４、２４と、ロック手段からなり、前記連結基部２３はその左右両側面が柄１３の中心線Ａに対し所要の傾斜角度αを持った傾斜カム面２８、２８を有し、前記各枠片連結部２４は前記傾斜角度αと同じ角度だけ傾斜し、かつ前記傾斜カム面２８に接して回転する回転板３１を有し、該回転板３１が前記傾斜カム面２８に対し直角の回転中心軸２９によって回転自在に取り付けられ、前記網枠１１が全開されたときに前記ロック手段により前記枠片連結部２４、２４が連結基部２３にロックされる。
【００１２】
図７に示したように、ロック解除後前記枠片連結部２４、２４を回転させることによって前記網枠１１を自動的にひょうたん形に折り畳む枠片折り畳みと、自動的に柄１３に接近し前記中間ヒンジ連結部１６が柄１３に接近するように折り畳む回転折り畳み（図１０参照）が可能である。
【００１３】
また、前記折り畳み状態から拡開させる場合は柄１３を把持して網枠１１を前方に放り出すように操作する（図１０の矢印ｃ参照）ことにより前記と逆の順に自動的に拡開され、全開状態において前記ロック手段が作用する。
【００１４】
なお、前記のロック手段は、連結基部２３に対し柄１３の長さ方向にスライド可能でかつ網枠１１の方向に付勢されたロック部材２５により構成され、前記網枠１１が全開状態にある場合に前記ロック部材２５を前記回転板３１の端部に嵌合ロックさせるように構成することができる。
【００１５】
また、前記ロック手段は、前記枠片の折り畳みと回転折り畳みがなされた際に、前記枠片連結部２４をロックするサブロック機能を有し、該サブロック機能は前記枠片連結部２４の２方向の回転方向に対し、１方向の回転時においてのみ完全折り畳み状態になる直前において作用し、折り畳み状態にある網枠１１を柄１３に対し一定の角度θをもってロックさせるように構成することもできる。
【００１６】
このようなサブロック機能をもたせると、たも網の折り畳み時に前記角度θにおいて軽くロックさせることができるので、そのままの状態で柄１３の部分を肩掛けバンド４４で使用者が肩に掛けて携行する際（図９参照）、網１２が濡れていても使用者の背中に触れることがない。また、前記と反対方向に回転させた場合は、折り畳まれた網枠１１を柄１３に当たるまで回転させることによりコンパクトに折り畳むことができる。
【発明の効果】
【００１７】
以上のように、この発明の折り畳み式たも網は、網枠の全体を回転させるだけで、傾斜カム面に接して枠片連結部が回転することにより網枠が自動的にひょうたん形に折り畳まれ、かつ柄に沿うようにコンパクトに折り畳まれる。使用時は柄の操作によって網枠を前方に放り出すように操作するだけで自動的に迅速に展開される。また、枠片の弾性を利用して折り畳むものではないので、枠片は十分強度のある材料を使用でき、大きな負荷に耐えることができる。
【００１８】
さらに、ロック手段にサブロック機能を付加することにより、折り畳んだ網枠を所定の角度をもってロックでき、柄に取り付け他肩バンドで肩に掛けて携行する際に網が濡れていたとしても人体に接触する不都合が解消される。
【発明を実施するための最良の形態】
【００１９】
以下、この発明の実施形態を添付図面に基づいて説明する。
【００２０】
実施形態の折り畳み式たも網は、図１に示したように、網枠１１、これに装着された網１２、柄１３及び前記網枠１１を前記柄１３の先端部に連結する連結機構部１４とからなる。
【００２１】
前記網枠１１は、四分の一円弧形の４本の枠片１５を柄１３の延長上にある中間ヒンジ連結部１６、２箇所の左右ヒンジ連結部１７、１７及び前記連結機構部１４においてそれぞれ連結されて円形リング状に形成される。
【００２２】
前記各ヒンジ連結部１６、１７は、図２（ａ）から（ｃ）に示したように、開口面に垂直なヒンジピン１８を有する。中間ヒンジ連結部１６は、一方の連結部１６ａの先端部外周にストッパー１９が設けられ（図２（ｂ）参照）、そのストッパー１９が他方の連結部１６ｂの外周に係合する結果、全開状態で１８０度に開放される。両方の連結部１６ａ、１６ｂは、一点鎖線で示したように、円形の開口状態から外方に突き出すように折り畳まれる凸形合掌状の折り畳みが可能である。また左右ヒンジ連結部１７の一方の連結部１７ａの先端部内周にストッパー２１が設けられ（図２（ｃ）参照）、そのストッパー２１が他方の連結部１７ｂの内周に係合する結果、全開状態で１８０度に開放される。両方の連結部１７ａ、１７ｂはそれぞれ一点鎖線で示したように、円形の開口状態から内方に突き出すように折り畳まれる凹形合掌状の折り畳みが可能である。左右ヒンジ連結部１７、１７が最も内側に入り込まれ最も小さくなった網枠１１の図３に示した形状を「だるま形」と称する。また、網枠１１が全開した円形状態からだるま型に折り畳まれることを「枠片折り畳み」と称する。
【００２３】
次に、前記の連結機構部１４について説明する。図４から図６に示したように、連結機構部１４は、柄１３との連結軸２２と、その連結軸２２の先端に一体に設けられた連結基部２３と、前記網枠１１の両端部に連結された左右一対の枠片連結部２４と、ロック部材２５と、付勢用のコイルばね２６及びストッパリング２７とからなる。
【００２４】
前記の連結軸２２は下端にねじ軸３０がインサート成形により一体に設けられ、そのねじ軸３０に柄１３がねじ結合により着脱自在に取り付けられる。連結基部２３の左右両側面に柄１３の中心線Ａに対し角度α（図５参照）で傾斜した傾斜カム面２８、２８が設けられる。各傾斜カム面２８には、その面に対して直角の中心線Ｂを有する円錐形の回転中心軸２９が設けられる。
【００２５】
また、前記の枠片連結部２４は、前記傾斜カム面２８に接触した回転板３１が一体に設けられ、その回転板３１に設けられた円錐形の軸穴３２に前記の回転中心軸２９が嵌合され、座金３３を介してビス３４が前記軸穴３２から回転中心軸２９の中心線Ｂに螺合される。これによって、枠片連結部２４が連結基部２３に対し前記回転中心軸２９の回りにおいて、かつ傾斜カム面２８に接しながら回転することができる。回転中心線Ｂと枠片連結部２４の中心線Ｃとの角度をβで示す。前記回転板３１の下端には一段薄くなるように段差部３５を介してロック係合部３６が設けられる。なお、前記枠片連結部２４には枠片１５の端部を固定するためのビス３７が螺入される。
【００２６】
前記のロック部材２５は、前記の連結軸２２に嵌合される円筒部３８と、前記連結基部２３の下端部分に嵌合されるテーパ部３９とを有し、円筒部３８の内周面と連結軸２２との間に前記のコイルばね２６が挿入され、そのコイルばね２６の上端部が内部の係合部４０に係合される。前記のストッパリング２７がねじ軸３０に螺合され、これによりコイルばね２６が圧縮されロック部材２５を上向き（網枠１１の方向）に付勢される。ロック部材２５は、上下方向に一定のストロークＳ（図４（ａ）参照）をもって上下方向（中心線Ａの方向）にスライド可能であり、その上端は前記の係合部４０が傾斜カム面２８の下端部に当たることにより規制される。またその下端は最大に圧縮されたコイルばね２６によって規制される。
【００２７】
前記ロック部材２５の左右両側部の内面は、前記連結基部２３の傾斜カム面２８に対面し、その傾斜カム面２８との間にロックすき間４１が形成される。このロックすき間４１に前記回転板３１のロック係合部３６が嵌合されることにより枠片連結部２４がロックされ、中心軸Ｂの周りにおける回転が規制される。ロック部材２５が一定ストロークＳ（図４（ａ）参照）だけ下方（柄１３の方向）に強制的にスライドされると、ロック係合部３６のロックが解除される。
【００２８】
また、前記連結基部２３の前後両面（網枠１１の開口面の両面）には、凹部４５が設けられ、ロック状態にあるロック部材２５の指掛け部４２が凹部４５上に臨む。凹部４５は指掛け部４２に指先を掛けてロック部材２５をロック解除方向に押し下げる際の指掛け余裕となる。
【００２９】
また、ロック部材２５の左右両側面における上縁部に中心線Ａから角度θだけ片寄った位置にサブロック機能を果すための浅い凹部４３が設けられる（図４（ｂ）参照）。即ち、前記のロック部材２５は枠片連結部２４の回転板３１の下端に設けられたロック係合部３６をロックして網枠１１を全開状態にロックさせる主ロック機能を有するほかに、網枠１１が一定回転方向（図７の矢印ａ参照）に回転折り畳みを行った場合は、完全な折り畳み状態になる直前に枠片連結部２４の一部が前記凹部４３に軽く係合して柄１３に対して角度θをもって係合されるサブロック機能を有する。
【００３０】
網枠１１を前記と反対方向（図８の矢印ｂ参照）に回転した場合は、サブロック作用はなく（即ち、網枠１１は柄１３に当たるので、枠片連結部２４が凹部４３に嵌ることがない。）、だるま形に折り畳まれた網枠１１の一部が柄１３に当った完全折り畳み状態となる（図１０参照）。
【００３１】
実施形態の折り畳み式たも網は以上のようなものであり、図１に示したように網枠１１が円形のリング状に拡開された全開状態で使用に供される。このとき、連結機構部１４においては、枠片連結部２４、２４がロック部材２５によってロックされる（図４参照）。このとき各枠片連結部２４、２４はほぼ中心線Ａに対して直交する状態に左右に突き出す結果、各枠片連結部２４、２４に連結された枠片１５、１５は半円形に左右に展開され、左右ヒンジ連結部１７、１７が１８０度に開放され、ストッパー２１によってそれ以上の開放が制限される。これらの左右ヒンジ連結部１７、１７の展開にともない、他の２本の枠片１５、１５も半円形に拡開され、中間ヒンジ連結部１６も１８０度に展開され、ストッパー１９によってそれ以上の展開が制限される。
【００３２】
全開状態にあるたも網を折り畳む際は、ロック部材２５の指掛け部４２に指先を掛けて押し下げロックを解除する。そのうえで、網枠１１を図７の矢印ａ方向又は図８の矢印ｂ方向のいずれかの方向に回転させる。いま、図７の矢印ａ方向に回転させた場合、左右枠片連結部２４、２４が前記の中心線Ｂ（図５参照）を中心として回転し、同時にその回転板３１が傾斜カム面２８に接触しながら回転するので、各枠片連結部２４に連結された枠片１５相互が次第に接近する。これによって中間ヒンジ連結部１６は凸形合掌状に屈曲され（図３参照）、また左右ヒンジ連結部１７、１７は凹形合掌状に屈曲される。その結果、全体としてだるま形になる枠片折り畳みが自動的に行われる。
【００３３】
また、上記の折り畳みと同時に、網枠１１の回転折り畳みが自動的に行われるが、完全折り畳み状態に達する直前に角度θを残して枠片連結部２４が凹部４３にサブロックされる。図９に示したように、柄１３に肩掛けバンド４４が設けられている場合は、前記の角度θだけ釣り人の背中から後方に離れるので、網１２が濡れているときに、これが背中に接触することを避けながら携行することができる。
【００３４】
逆に、図８の矢印ｂ方向に回転させると、網枠１１は完全な折り畳み状態となり（図１０参照）、網枠１１の一部が柄１３に接した最もコンパクトな折り畳み状態となり、収納に便利な形となる。
【００３５】
図９又は図１０の折り畳み状態から網枠１１を拡開させるときは、柄１３を把持して網枠１１と網１２を前方に放り出すように（図１０の矢印ｃ参照）操作すると、網枠１１が図８の矢印ｂと反対方向（図９の折り畳み状態から拡開するときは矢印ａと反対方向）に１８０度回転し、ロック係合部３６の円弧形コーナ部３６ａでコイルばね２６の付勢力に抗してロック部材２５を押し下げ、その内部のロックすき間４１に嵌合させる。ロック部材２５はコイルばね２６の付勢力でもとの状態にもどり、ロック係合部３６及びこれと一体の枠片連結部２４、枠片１５をロックさせる。前記の網枠１１の回転とともに、枠片連結部２４が傾斜カム面２８に沿って回転するため、１８０度回転しロックされた状態で網枠１１は全開状態となる。
【００３６】
上記のように、柄１３を把持して網枠１１と網１２を前方に放り出すように操作するだけで、網枠１１が全開状態に拡開され、同時にロックされるまでの動作が自動的にかつ迅速に行われる。
【図面の簡単な説明】
【００３７】
【図１】実施形態の斜視図
【図２】（ａ）同上の網枠部分の正面図、（ｂ）（ａ）図の一部拡大正面図、（ｃ）（ａ）図の他の部分の一部拡大正面図
【図３】同上の網枠部分の折り畳み状態の正面図
【図４】（ａ）同上の連結機構部の一部正面図、（ｂ）（ａ）図の左側面図
【図５】同上の連結機構部の縦断正面図
【図６】同上の連結機構部の分解斜視図
【図７】同上の折り畳み時の連結機構部の側面図
【図８】同上の他の折り畳み時の連結機構部の側面図
【図９】同上の携行時の側面図
【図１０】同上の折り畳み状態の側面図
【図１１】（ａ）従来例の正面図、（ｂ）従来例の一部拡大正面図
【図１２】上記従来例の一部拡大正面図
【図１３】同上の折り畳み途中の正面図
【図１４】同上の折り畳み状態の正面図
【符号の説明】
【００３８】
１１  網枠
１２  網
１３  柄
１４  連結機構部
１５  枠片
１６  中間ヒンジ連結部
１７  左右ヒンジ連結部
１８  ヒンジピン
１９  ストッパー
２１  ストッパー
２２  連結軸
２３  連結基部
２４  枠片連結部
２５  ロック部材
２６  コイルばね
２７  ストッパリング
２８  傾斜カム面
２９  回転中心軸
３０  ねじ軸
３１  回転板
３２  軸穴
３３  座金
３４  ビス
３５  段差部
３６  ロック係合部
３６ａ  円弧形コーナ部
３７  ビス
３８  円筒部
３９  テーパ部
４０  係合部
４１  ロックすき間
４２  指掛け部
４３  凹部
４４  肩掛けバンド
４５  凹部
【図１】
2007028952.tif 000003
【図２】
2007028952.tif 000004
【図３】
2007028952.tif 000005
【図４】
2007028952.tif 000006
【図５】
2007028952.tif 000007
【図６】
2007028952.tif 000008
【図７】
2007028952.tif 000009
【図８】
2007028952.tif 000010
【図９】
2007028952.tif 000011
【図１０】
2007028952.tif 000012
【図１１】
2007028952.tif 000013
【図１２】
2007028952.tif 000014
【図１３】
2007028952.tif 000015
【図１４】
2007028952.tif 000016